(57)【要約】      （修正有）【課題】つまみ上げる動作と叩く動作を共に行うことによりマッサージ効果の向上を図った手動マッサージ装置を提供する。【解決手段】一対のローラ４Ａ，４Ｂと、このローラを回転自在に軸承する軸承部２３Ａ，２３Ｂ，２４Ａ，２４Ｂと把持される把持部２２とが形成された本体部２とを具備する手動マッサージ装置であって、各ローラ４Ａ，４Ｂをその回転軸がＶ字を形成するよう配置し、この回転軸のなす内角を９０°以上１３０°以下に設定すると共に、各ローラをその断面形状を五角形以上八角形以下の角柱とする。【選択図】図１
0003187628.tif 000002
【実用新案登録請求の範囲】
【請求項１】
一対のローラと、
該ローラを回転自在に軸承する軸承部と、把持される把持部とが形成された本体部とを具備する手動マッサージ装置であって、
前記ローラをその回転軸がＶ字を形成するよう配置し、該回転軸のなす内角を９０°以上１３０°以下に設定し、
前記ローラを、その断面形状が五角形以上八角形以下の角柱としたことを特徴とする手動マッサージ装置。
【請求項２】
前記ローラのゴム硬度を９２度以上９６度以下に設定したことを特徴とする請求項１記載の手動マッサージ装置。
【請求項３】
前記ローラをオレフィン系のエラストマーにより形成したことを特徴とする請求項１又は２記載の手動マッサージ装置。
【請求項４】
前記一対のローラ間の最短寸法を１５ｍｍ以上２０ｍｍ以下に設定したことを特徴とする請求項１乃至３のいずれか一項に記載の手動マッサージ装置。
【請求項５】
前記ローラの外接円の直径を３０ｍｍ以上４０ｍｍ以下に設定したことを特徴とする請求項１乃至４のいずれか一項に記載の手動マッサージ装置。
【考案の詳細な説明】
【技術分野】
【０００１】
本考案は、ローラを有する手動マッサージ装置に関する。
【背景技術】
【０００２】
一般に、手動により駆動される手動マッサージ装置は、円筒状の回転体（ローラ）を備えた構成のものが多く提供されている（特許文献１）。この種の手動マッサージ装置は、ローラの回転により被マッサージ部位に刺激を与え、このマッサージ効果によって血行を良好とし皮膚の新陳代謝を活発にする。また、一対のローラをＶ字状に傾けて配置することにより、つまみ効果を実現できるようにした手動マッサージ装置も提案されている（特許文献２）。
【先行技術文献】
【特許文献】
【０００３】
【特許文献１】実開平０６−０２１６３１号公報
【特許文献２】特開２００４−３２１８１４号公報
【考案の概要】
【考案が解決しようとする課題】
【０００４】
しかしながら、人が行うマッサージは、叩く動作やつまみ上げる動作が複合したマッサージとなるが、従来の手動マッサージ装置はいずれか一つのマッサージ動作しか行うことができないため、十分なマッサージ効果を得ることができないという問題点があった。
【０００５】
本考案は上記の点に鑑みてなされたものであり、つまみ上げる動作と叩く動作を共に行うことによりマッサージ効果の向上を図った手動マッサージ装置を提供することを目的とする。
【課題を解決するための手段】
【０００６】
上記の課題は、第１の観点からは、
一対のローラと、該ローラを回転自在に軸承する軸承部と把持される把持部とが形成された本体部とを具備する手動マッサージ装置であって、
各前記ローラをその回転軸がＶ字を形成するよう配置し、該回転軸のなす内角を９０°以上１３０°以下に設定し、
前記ローラを、その断面形状が五角形以上八角形以下の角柱としたことを特徴とする手動マッサージ装置により解決することができる。
【考案の効果】
【０００７】
開示の考案によれば、ローラを回転軸がＶ字となるよう配置することにより、ローラの回転に伴いつまみ効果を得ることができると共に、ローラとして角柱を用いることにより叩き効果を得ることができ、二つのマッサージ効果を同時に得ることが可能となる。
【図面の簡単な説明】
【０００８】
【図１】図１は、本考案の一実施形態である手動マッサージ装置の斜視図である。
【図２】図２は本考案の一実施形態である手動マッサージ装置を示しており、（Ａ）は平面図、（Ｂ）は正面図、（Ｃ）は底面図、（Ｄ）は左側面図、（Ｅ）は右側面図、（Ｆ）は背面図である。
【図３】図３は本考案の一実施形態である手動マッサージ装置の本体部を示しており、（Ａ）は平面図、（Ｂ）は正面図、（Ｃ）は底面図、（Ｄ）は右側面図である。
【図４】図４は本考案の一実施形態である手動マッサージ装置のローラを示しており、（Ａ）は正面図、（Ｂ）は右側面図、（Ｃ）は縦断面図である。
【図５】図５は本考案の一実施形態である手動マッサージ装置の中芯キャップを示しており、（Ａ）は正面図、（Ｂ）は右側面図、（Ｃ）は縦断面図である。
【図６】図６は、ローラの動作を説明するための図である。
【図７】図７は、ローラの材質を説明するための図である。
【図８】図８は、ローラの外接円の直径を変化させた時の官能評価試験結果を示す図である。
【図９】図９は、一対のローラの回転軸のなす内角を変化させた時の官能評価試験結果を示す図である。
【図１０】図１０は、一対のローラ間の最短寸法を変化させた時の官能評価試験結果を示す図である。
【考案を実施するための形態】
【０００９】
次に、本考案の実施の形態について図面と共に説明する。
【００１０】
図１及び図２は、本考案の一実施形態である手動マッサージ装置１（以下、単にマッサージ装置１という）を示している。図１はマッサージ装置１の斜視図であり、図２はマッサージ装置１の六面図である。本実施形態に係るマッサージ装置１は美容に用いられるものであり、具体的には、美容を目的として使用者の腹部等に対してマッサージを行う際に用いられるものである。
【００１１】
マッサージ装置１は、本体部２とローラ４Ａ，４Ｂを有した構成とされている。本体部２は、透明な樹脂により形成されている。この本体部２は、図１及び図２に加えて図３に示すように、基部２１、把持部２２、軸承部２３Ａ，２３Ｂ，２４Ａ，２４Ｂ等を一体的に形成した構成とされている。
【００１２】
基部２１は本体部２の中央部に位置し、略平板状の形状を有している。この基部２１の両側部からはアーチ状に把持部２２が形成されている。この把持部２２は、利用者がマッサージ装置１を用いてマッサージを行う際に把持される部位である。また把持部２２の平面視した時の形状は、図２（Ａ）及び図３（Ａ）に示すように、湾曲形状を有しており、よって把持し易い形状とされている。
【００１３】
また、基部２１の下面には、ローラ４Ａ，４Ｂを軸承するための軸承部２３Ａ，２３Ｂ，２４Ａ，２４Ｂが形成されている。各軸承部２３Ａ，２３Ｂ，２４Ａ，２４Ｂは、基部２１の下面から下方向に延出するよう形成されている。軸承部２３Ａと軸承部２４Ａは対をなし、この間にローラ４Ａが配設される。また、軸承部２３Ｂと軸承部２４Ｂは対をなし、この間にローラ４Ｂが配設される。
【００１４】
また、軸承部２３Ａの軸承部２４Ａと対向する面には支軸２５Ａが形成されており、軸承部２４Ａの軸承部２３Ａと対向する面には支軸２６Ａが形成されている。更に、軸承部２３Ｂの軸承部２４Ｂと対向する面には支軸２５Ｂが形成されており、軸承部２４Ｂの軸承部２３Ｂと対向する面には支軸２６Ｂが形成されている。
【００１５】
ローラ４Ａ，４Ｂ（以下、二つのローラをまとめて説明する場合には、ローラ４と示す）は、マッサージ装置１により使用者がマッサージを行う際、直接使用者の肌に接触してマッサージを行う部位である。このローラ４は、中芯キャップ６を介して前記した軸承部２３Ａ，２３Ｂ，２４Ａ，２４Ｂに軸承される。
【００１６】
中芯キャップ６は樹脂成型品であり、図５に示すように、装着部６１と鍔部６２とを一体的に形成した構成されている。この中芯キャップ６は、ローラ４の両側部に配設される。装着部６１は、ローラ４に形成された角孔４３（図４（Ｂ）参照）に対応した六角形状とされている。また、鍔部６２の中心位置には、前記した本体部２の支軸２５Ａ，２５Ｂ，２６Ａ，２６Ｂに回転可能に軸承される軸孔６３が形成されている。更に、鍔部６２の軸孔６３の外側位置には、複数の貫通孔６４が形成されている。
【００１７】
ローラ４を貫通するよう形成された角孔４３は比較的大きな孔であり、またローラ４に装着された中芯キャップ６には複数の貫通孔６４が形成されている。よって、後述する化粧料等がローラ４の角孔４３内に侵入しても、この侵入した化粧料等は貫通孔６４を通り角孔４３からローラ４Ａ，４Ｂの外部に容易に排出される。また、マッサージ装置１の洗浄時（水洗い時）においても、角孔４３に入り込んだ洗浄水は貫通孔６４を介してローラ４の外部に容易に排出される。よって、ローラ４及び中芯キャップ６を上記構成とすることにより、マッサージ装置１を清潔に保持することができる。
【００１８】
次に、ローラ４Ａ，４Ｂの詳細について説明する。
【００１９】
先ず、ローラ４Ａ，４Ｂの材質について説明する。本実施形態に係るマッサージ装置１を用いた美容方法では、使用時に予めマッサージ部位に化粧料を塗布しておき、この化粧料が塗布されたマッサージ部位の上でローラ４Ａ，４Ｂを転動させてマッサージを行う。従って、ローラ４Ａ，４Ｂには化粧料が付着することになる。
【００２０】
使用される化粧料は、水、アルコール、保湿剤、界面活性剤、増粘材、油分、清涼剤、粉末、香料等を含んでいる。ここで、ローラ４Ａ，４Ｂの材質として従来一般的にマッサージ装置のローラの材料として使用しているシリコーン系エラストマー及びスチレン系エラストマーを使用した場合を想定すると、化粧料に含まれる油分により膨潤してしまい好ましくない。そこで本実施形態では、ローラ４Ａ，４Ｂの材質として、油分により膨潤することがないオレフィン系のエラストマーを使用することにした。
【００２１】
しかしながら、ローラ４Ａ，４Ｂをオレフィン系のエラストマーのみから形成した場合、使用感としては肌に対する吸い付き感が強くなり過ぎ、また製造面からは金型からの離型性が悪くなるという問題点が生じる。
【００２２】
そこで、本実施形態ではオレフィン系のエラストマーにポリプロピレン（以下、ＰＰという）を混合したものを使用することとした。更に、エラストマーに対するＰＰの混合寄り合いを、ローラ４Ａ，４Ｂのゴム硬度が９２度以上９６度以下となるよう設定した。これについて、図７を用いて説明する。
【００２３】
同図ではオレフィン系のエラストマーとしてオレフィン系エラストマーを用い、これに対しＰＰを混合した割合を混合比率として示した。具体的には、同図における混合比率が60％とは、オレフィン系エラストマーが60％、ＰＰが40％混合されていることを示している（エラストマー：ＰＰ＝６：４）。
【００２４】
また、図７に示す各混合比率で作成したローラの硬さをゴム硬度試験法（JIS K 6253に定めるタイプＡデュロメーターを用いる方法）で測定を行った。また、形成された各混合比率のローラの製造時における金型からの離型性（成型性）、及び各混合比率のローラを使用した時の使用感（具体的には、吸い付き感）を調べる官能評価試験を実施した。
【００２５】
成型性の欄において、破線の矢印で示す範囲は、成形性（離型性）が不良な範囲である。また、吸い付き感の欄において実線の矢印で示すのは、吸い付き感が良好な範囲である。尚、この官能評価試験では、パネル（被験者）として女性パネル（ｎ＝３０名）を用い、腹部に対して当該ローラを使用してもらった結果を評価した。
【００２６】
図７に示す実験結果より、ゴム硬度が９２度未満になると成形性（離型性）が不良となってしまうことが分かる。また、ゴム硬度が９６度を越えると吸い付き感が弱くなり、つまみ上げる効果感を損ねることが分かった。そこで本実施形態では、ローラ４Ａ，４Ｂのゴム硬度が９２度以上９６度以下となるよう設定した。これにより、成型性（離型性）を良好な状態に維持しつつ、ローラ４Ａ，４Ｂの使用時（マッサージ時）における吸い付き感を良好とすることが可能となった。
【００２７】
次に、ローラ４Ａ，４Ｂの形状に注目する。
【００２８】
ローラ４Ａ，４Ｂは、図１，２に加えて図４に示すように、角柱形状とされている。本実施形態では、ローラ４Ａ，４Ｂの断面形状を六角形状（即ち、六角柱形状）としている。このように、ローラ４Ａ，４Ｂを六角柱形状とすることにより、ローラ４Ａ，４Ｂの外周面は外周板４１と頂部４２とを有した構成となる。即ち、長方形状を有した６つの外周板４１が頂部４２に接した構成となる。
【００２９】
ローラ４Ａ，４Ｂを六角柱形状とすることにより、ローラ４Ａ，４Ｂを使用者の肌上（マッサージ部位上）で転動させた際、被施術部に対して叩き効果を与えることができる。これについて図６を用いて説明する。今、ローラ４が図６（Ｂ）に示す状態から図６（Ａ）に示す状態に転動する場合を想定する。
【００３０】
図６（Ｂ）に示す状態においてローラ４は、最下位置の頂部４２がマッサージを行おうとする肌Ｘに接触した状態となっている（特に、この頂部４２を符号４２Ａで示す）。また、他の頂部４２は肌Ｘから離間した状態となっている。
【００３１】
ローラ４を図６（Ｂ）に示す状態から図６（Ａ）に示す状態となるよう回転させると、頂部４２Ａに隣接する頂部４２（特に、この頂部を４２Ｂと示す）は肌Ｘに向け移動し、やがて肌Ｘに衝突する。この際、頂部４２Ｂは図６（Ｂ）に矢印Ｂで示す方向に回転するため、図中矢印ΔＤで示す距離だけ落下するのと等価の動作を行う。この落下動作により、頂部４２が衝突した肌Ｘでは、叩かれたと等価の作用が発生する。尚、この頂部４２Ｂの落下動作の際、ローラ４の回転中心位置Ｏも図中矢印ΔＨで示す距離だけ落下する。
【００３２】
このように、ローラ４Ａ，４Ｂを六角柱形状とすることにより、ローラ４Ａ，４Ｂを転動させた際、いわゆる叩き効果を実現することができる。この叩き効果は、ローラの外接円の直径Ｄ（図４（Ｂ）及び図６に矢印で示す）の大きさに関係がある。これについて、図８を用いて説明する。
【００３３】
同図は、外接円の直径Ｄが15,20,25,30,35,40,45,50mmの各ローラを作成し、これを用いた時の使用感及び叩き感についての官能評価試験を実施した。本官能試験においても、パネル（被験者）として女性パネル（ｎ＝３０名）を用い、腹部に対して当該ローラを使用してもらった結果を評価した。その結果、ローラの外接円の直径Ｄが40mmを越える大径のローラでは使用感が低下し、またローラの外接円の直径Ｄが30mm未満の小径のローラでは十分な叩き感を得ることができないことが判明した。そこで本実施形態では、ローラ４の外接円の直径Ｄを30mm以上40mm以下に設定した。このようにローラ４の外接円の直径Ｄを設定することにより、良好な使用感と良好な叩き感を両立させることが可能となった。
【００３４】
尚、本実施形態ではローラ４を断面六角形状（六角柱形状）としているが、ローラ４の形状は必ずしも断面六角形状（六角柱形状）に限定されるものではない。前記した叩き効果を得ることができるものであれば、六角柱形状以外の形状とすることも可能である。図８に示したローラ４の外接円の直径Ｄの範囲を考慮すると、本考案者の実験ではローラ４の断面形状を五角形以上八角形以下の角柱とした場合、上記した叩き効果を有効に得ることができる。
【００３５】
次に、一対のローラ４Ａ，４Ｂの配置関係に注目する。本実施形態ではローラ４Ａ，４Ｂを平行に配置するのではなく、各ローラ４Ａ，４Ｂの回転軸ＸＡ，ＸＢがＶ字を形成するよう配置した構成としている。いま、この回転軸ＸＡ，ＸＢがＶ字を形成する内側の角度をθとする（図２（Ｃ）に矢印で示す。以下、内角θという）。また、ローラ４Ａ，４Ｂの離間寸法の内、その最も小さい離間寸法をＷとする（図２（Ｃ）に矢印Ｗで示す。以下、最短寸法Ｗという）。
【００３６】
本実施形態のようにローラ４Ａ，４Ｂをその回転軸ＸＡ，ＸＢがＶ字を形成するよう配置することにより、マッサージ装置１を使用した場合に各ローラ４Ａ，４Ｂにより肌Ｘが中央に向けて押しやられることになり、肌Ｘをつまみ上げるのと同等のマッサージ効果を得ることが可能となる。特に、本実施形態では、ローラ４Ａ，４Ｂの外周部分は平板状で、かつ前記のように吸い付き性を有するため、肌Ｘを効果的につまみ上げることができる。
【００３７】
図９は、ローラ４Ａ，４Ｂの内角θを変化させた場合における、ローラ４Ａ，４Ｂによるつまみ上げ感についての官能性評価試験の結果を示している。同図においてつまみ上げ感の欄における実線の矢印の範囲は、つまみ上げ感が得られる範囲を示している。尚、本官能試験においても、パネル（被験者）として女性パネル（ｎ＝３０名）を用い、腹部に対して当該ローラを使用してもらった結果を評価した。
【００３８】
同図に示す実験結果より、内角θが１３０°を越えると、一対のローラ４Ａ，４Ｂが広がり過ぎ、つまみ上げ効果を十分に得ることができないことが分かった。また、内角θが９０°未満になると狭くなり過ぎて腹部を効果的につまむことができないことが分かった。以上の点から、本実施形態ではローラ４Ａ，４Ｂの回転軸ＸＡ，ＸＢのなす内角θを９０°以上１３０°以下に設定した。このように設定することにより、マッサージ装置１を使用した際、つまみ上げによる良好なマッサージ感を実現することが可能となる。
【００３９】
一方、図１０は、ローラ４Ａ，４Ｂの最短寸法Ｗを変化させた場合における、ローラ４Ａ，４Ｂによるつまみ上げ感及び痛み感についての官能性評価試験の結果を示している。
同図において、つまみ上げ感の欄における実線の矢印の範囲はつまみ上げ感が得られる範囲を示し、痛み感の欄における破線の矢印の範囲は痛み感を感じる範囲を示している。更に、本官能試験においても、パネル（被験者）として女性パネル（ｎ＝３０名）を用い、腹部に対して当該ローラを使用してもらった結果を評価した。
【００４０】
同図に示す実験結果より、最短寸法Ｗが20mmを越えると一対のローラ４Ａ，４Ｂの離間距離が大きくなり過ぎて、つまみ上げ効果を十分に得ることができないことが分かった。また、最短寸法Ｗが15mm未満になると肌Ｘが強くつまみ上げられ、使用者が傷みを感じてしまうことが分かった。以上の点から、本実施形態ではローラ４Ａ，４Ｂの最短寸法Ｗを15mm以上20mm以下に設定した。このように設定することにより、マッサージ装置１を使用した際、つまみ上げによる良好なマッサージ感を実現することが可能となる。
【００４１】
以上、本考案の好ましい実施形態について詳述したが、本考案は上記した特定の実施形態に限定されるものではなく、実用新案登録請求の範囲に記載された本考案の要旨の範囲内において、種々の変形・変更が可能なものである。
【符号の説明】
【００４２】
１  手動マッサージ装置
２  本体部
４，４Ａ，４Ｂ  ローラ
６  中芯キャップ
２１  基部
２２  把持部
４１  外周板
４２  頂部
４３  角孔
６１  装着部
６３  軸孔
６４  貫通孔
【図１】
0003187628.tif 000003
【図２】
0003187628.tif 000004
【図３】
0003187628.tif 000005
【図４】
0003187628.tif 000006
【図５】
0003187628.tif 000007
【図６】
0003187628.tif 000008
【図７】
0003187628.tif 000009
【図８】
0003187628.tif 000010
【図９】
0003187628.tif 000011
【図１０】
0003187628.tif 000012